【手続補正書】
【提出日】平成19年1月19日(2007.1.19)
【手続補正１】
【補正対象書類名】明細書
【補正対象項目名】特許請求の範囲
【補正方法】変更
【補正の内容】
【特許請求の範囲】    【請求項１】  超臨界水を収容する縦型反応器を備え、反応器の容器壁を貫通して設けられた被処理液の入口ノズルから反応器内の超臨界水中に被処理液を導入して超臨界水反応を行わせる超臨界水反応装置において、  入口ノズルに沿って入口ノズルの周りに二重管状に設けられ、入口ノズルを冷却する冷却ジャケットと、  冷却ジャケットの一方の端部に接続され、冷却媒体を冷却ジャケットに供給する供給管と、  冷却ジャケットの他方の端部に接続され、冷却ジャケットから冷却媒体を排出する排出管と  を備えていることを特徴とする超臨界水反応装置。    【請求項２】  供給管が冷却ジャケットの下端部に、排出管が冷却ジャケットの上端部に、それぞれ、接続されていることを特徴とする請求項１に記載の超臨界水反応装置。    【請求項３】  入口ノズルと冷却ジャケットとの間に介在するノズル壁の入口ノズル流出口近傍の温度を測定し、入口ノズル流出口近傍のノズル壁の温度が３５０℃以下になるように冷却媒体の流量を制御するようにした、ノズル壁の温度制御装置を備えていることを特徴とする請求項１又は２に記載の超臨界水反応装置。    【請求項４】  冷却媒体が水又は空気であることを特徴とする請求項１から３のうちのいずれか１項に記載の超臨界水反応装置。    【請求項５】  超臨界水を収容する縦型反応器を備え、反応器の容器壁を貫通して設けられた被処理液の入口ノズルから反応器内の超臨界水中に被処理液を導入して超臨界水反応を行わせる超臨界水反応装置において、  入口ノズルが、内筒ノズルと、内筒ノズルの外側を二重管状に囲む外筒ノズルとからなる２流体ノズルとして構成され、  内筒ノズルを被処理液の流入経路とし、内筒ノズルと外筒ノズルとの間の環状部を内筒ノズルを冷却する冷却媒体の流入経路とすることを特徴とする超臨界水反応装置。    【請求項６】  内筒ノズルの流出口が、外筒ノズルの内側にあることを特徴とする請求項５に記載の超臨界水反応装置。    【請求項７】  内筒ノズルの流出口近傍の内筒ノズルの温度を測定し、内筒ノズルの温度が３５０℃以下になるように冷却媒体の流量を制御するようにした、２流体ノズルの温度制御装置を備えていることを特徴とする請求項５又は６に記載の超臨界水反応装置。    【請求項８】  冷却媒体が水又は温度の低い被処理液であることを特徴とする請求項５から７のうちのいずれか１項に記載の超臨界水反応装置。【手続補正２】
【補正対象書類名】明細書
【補正対象項目名】０００４
【補正方法】変更
【補正の内容】
【０００４】  ところで、ダイオキシン等の有機塩素系化合物を含む被処理液は、無機酸とアルカリ金属又はアルカリ土類金属との化合物である無機塩、及び金属イオン（以下、簡単に無機塩と総称する）を溶解していることが多い。  有機物に加えて無機塩を溶解した被処理液を超臨界水反応により処理する際には、超臨界水の無機塩溶解能が極めて小さいことを考慮して、通常、２ゾーン方式の超臨界水反応装置が使用されている。
【手続補正３】
【補正対象書類名】明細書
【補正対象項目名】００１５
【補正方法】変更
【補正の内容】
【００１５】  上記目的を達成するために、本発明に係る超臨界水反応装置（以下、第１の発明と言う）は、超臨界水を収容する縦型反応器を備え、反応器の容器壁を貫通して設けられた被処理液の入口ノズルから反応器内の超臨界水中に被処理液を導入して超臨界水反応を行わせる超臨界水反応装置において、  入口ノズルに沿って入口ノズルの周りに二重管状に設けられ、入口ノズルを冷却する冷却ジャケットと、  冷却ジャケットの一方の端部に接続され、冷却媒体を冷却ジャケットに供給する供給管と、  冷却ジャケットの他方の端部に接続され、冷却ジャケットから冷却媒体を排出する排出管と  を備えていることを特徴としている。
【手続補正４】
【補正対象書類名】明細書
【補正対象項目名】００１６
【補正方法】変更
【補正の内容】
【００１６】  入口ノズルと冷却ジャケットとの間の壁厚は、反応器内の圧力と冷却媒体との圧力差に抗する強度の厚さとする。  第１の発明の好適な実施態様では、供給管が冷却ジャケットの下端部に、排出管が冷却ジャケットの上端部に、それぞれ、接続されている。これにより、供給管からジャケットの下端部に供給された冷却媒体は、入口ノズルを冷却して温度が上昇するにつれて上方に流れ、上端部から流出する。  冷却媒体は入口ノズルを冷却できる限り、種類、組成を問わず、例えば水、空気を冷却媒体として使用することができる。水を使った場合には、ジャケット内で気化させ、気化熱を冷却用に使用しても良い。  望ましくは、入口ノズルと冷却ジャケットとの間に介在するノズル壁の入口ノズル流出口近傍の温度を測定し、入口ノズル流出口近傍のノズル壁の温度が３５０℃以下になるように冷却媒体の流量を制御するようにした、ノズル壁の温度制御装置を備える。  これにより、無機塩の析出を一層確実に抑制して、長期間にわたる安定した超臨界水反応を行うことができる。
【手続補正５】
【補正対象書類名】明細書
【補正対象項目名】００１７
【補正方法】変更
【補正の内容】
【００１７】  また、本発明に係る別の超臨界水反応装置（以下、第２の発明と言う）は、超臨界水を収容する縦型反応器を備え、反応器の容器壁を貫通して設けられた被処理液の入口ノズルから反応器内の超臨界水中に被処理液を導入して超臨界水反応を行わせる超臨界水反応装置において、  入口ノズルが、内筒ノズルと、内筒ノズルの外側を二重管状に囲む外筒ノズルとからなる２流体ノズルとして構成され、  内筒ノズルを被処理液の流入経路とし、内筒ノズルと外筒ノズルとの間の環状部を内筒ノズルを冷却する冷却媒体の流入経路とすることを特徴としている。
【手続補正６】
【補正対象書類名】明細書
【補正対象項目名】００２７
【補正方法】変更
【補正の内容】
【００２７】  本実施形態例の２流体ノズル４２は、内筒ノズル４４と、内筒ノズル４４の外側を二重筒状に囲む外筒ノズル４６とから構成され、内筒ノズル４４を流入管７２に接続させて内筒ノズル４４の内側を被処理液の流入経路とし、内筒ノズル４４と外筒ノズル４６との間の環状部４８を冷却媒体の供給管２４に接続させ、内筒ノズル４４及び内筒ノズル４４内を流れる被処理液を冷却する冷却媒体の流入経路としている。  そして、２流体ノズル４２は、内筒ノズル４４の流出口が外筒ノズル４６の内側にあるように、構成されている。
【手続補正７】
【補正対象書類名】明細書
【補正対象項目名】００３１
【補正方法】変更
【補正の内容】
【００３１】    【発明の効果】  第１の発明によれば、被処理液を反応器に導入する入口ノズルの周りに冷却ジャケットを設け、冷却ジャケットを流れる冷却媒体によって入口ノズル及び入口ノズル内を流れる被処理液を冷却することにより、入口ノズルでの無機塩の析出を防止している。  第２の発明によれば、被処理液を反応器に導入する入口ノズルとして二重管状の２流体ノズルを設け、内筒ノズルを被処理液の流入経路とし、内筒ノズルと外筒ノズルとの間の環状部を内筒ノズルを冷却する冷却媒体の流入経路とし、環状部を流れる冷却媒体によって内筒ノズル及び内筒ノズル内を流れる被処理液を冷却することにより、入口ノズルでの無機塩の析出を防止している。  第１及び第２の発明を適用することにより、有機物に加えて無機塩を溶解した被処理液を安定して継続的に超臨界水反応処理することができる。【手続補正８】
【補正対象書類名】図面
【補正対象項目名】図３
【補正方法】変更
【補正の内容】
【図３】
2001269566.tif 000001
【手続補正９】
【補正対象書類名】図面
【補正対象項目名】図４
【補正方法】変更
【補正の内容】
【図４】
2001269566.tif 000002